(57)【特許請求の範囲】
【請求項１】
パネルからなる床スラブを有し、周囲に壁立ち上がり部が形成された外部床における仮防水構造であって、
前記壁立ち上がり部の内壁面側及び上端面側に沿って形成された金物と、
断面Ｌ字状であって垂下片が前記壁立ち上がり部の外壁面側となるように前記金物の上端面に掛止された仮水切りと、
前記床スラブの表面から前記壁立ち上がり部の上端面にかけてプール状に敷設される仮防水シートと、
前記仮水切りの水平片と当該水平片に重ね合せられた前記仮防水シートの端縁部とを、前記金物の上端面に連続的に貼着する磁石と、を含む、仮防水構造。
【請求項２】
前記金物に貼着可能であり、前記仮防水シートを前記金物の立ち上がり面に対して、前記仮防水シートに張力を与え当該仮防水シートが外周目地部で陥没しないように貼着する磁石を含む、請求項１に記載の仮防水構造。
【発明の詳細な説明】
【技術分野】
【０００１】
本発明は、仮防水構造および仮防水工法に関する。
【背景技術】
【０００２】
従来、建物の躯体が立ち上がってから屋根の防水工事が完了するまでの期間において、降雨によって建物内部が水濡れするのを防止するために、あるいは工期が延長するのを防止するために、種々の対策が講じられている。例えば、大規模な建物においては、足場を利用して建物全体を覆う仮設の屋根を設ける方法が数多く提案されている。また、住宅のような小規模の建物においては、単に屋根面にシートをかけるという方法が提案されている。
【０００３】
このような屋根面にシートをかけるという簡易な方法だと、勾配屋根の場合には雨仕舞い上の問題が少ない。ただし、パラペットを有する陸屋根の場合には水溜りが形成されてしまい、水の排出方法を別途検討する必要が生じる。このような検討をふまえ、しかも、費用や手間を格段に削減し、尚かつ撤去作業のほぼ全てを省略することができるようにした仮防水技術としては、例えば特許文献１に記載されたもの等がある（特許文献１参照）。
【先行技術文献】
【特許文献】
【０００４】
【特許文献１】特開２０１２−１３６８５９号公報
【発明の概要】
【発明が解決しようとする課題】
【０００５】
しかしながら、従来の仮防水技術には、仮樋の設置に手間やコストがかかる場合があった。また、従来の仮防水技術は、外周部に沿って仮樋を設置する為の凹部が存在することを前提としていることがあり、この場合、凹部が存在しないと対応できない。このため、外壁パネルの補修を要するなど、汎用性が高いとはいえないことがあった。
【０００６】
そこで、本発明は、手間やコストがかからず、汎用性が高く、外壁パネルの補修が不要な仮防水構造および仮防水工法を提供することを目的とするものである。
【課題を解決するための手段】
【０００７】
上記課題を解決すべく、本発明は、非防水性素材のパネルからなる床スラブを有し、周囲に壁立ち上がり部が形成された外部床における仮防水構造であって、
前記床スラブの表面から前記壁立ち上がり部の上端面にかけてプール状に敷設される仮防水シートを含む、というものである。
【０００８】
かかる仮防水構造は、床スラブの表面から壁立ち上がり部の上端面にかけて仮防水シートが敷設されることから、仮樋の設置をしなくても施工することが可能である。このため、仮防水構造を設置するための手間やコストがかからず、外壁パネルの補修が不要である。したがって、汎用性が高い。
【０００９】
このような仮防水構造は、前記壁立ち上がり部の内壁面側に形成された金物に貼着可能であり、前記仮防水シートを前記金物の立ち上がり面に対して、前記仮防水シートに張力を与え当該仮防水シートが外周目地部で陥没しないように貼着する磁石を含むものであってもよい。
【００１０】
また、仮防水構造は、前記金物の上端に断面Ｌ字状の仮水切りを垂下片が建物外側となるように掛止するとともに、仮防水シートの端縁部と仮水切りの水平片を重ね合せ、前記金物の上端面に対し同一の磁石を用いて連続的に貼着するものであってもよい。
【００１１】
さらに、本発明は、非防水性素材のパネルからなる床スラブを有し、周囲に壁立ち上がり部が形成された外部床における仮防水工法であって、
仮防水シートを前記床スラブの表面から前記壁立ち上がり部の上端面にかけてプール状に敷設するステップを含む、というものである。
【発明の効果】
【００１２】
本発明によれば、手間やコストがかからず、汎用性が高く、外壁パネルの補修が不要な仮防水構造および仮防水工法を提供することができる。
【図面の簡単な説明】
【００１３】
【図１】仮防水構造が敷設された外部床の一例を示す断面図である。
【図２】図１におけるパラペットの上端面付近の拡大図である。
【図３】貼着部材の一例を示す図である。
【図４】仮水切りの一例を示す斜視図である。
【発明を実施するための形態】
【００１４】
以下、図面を参照しつつ本発明の実施形態について詳細に説明する（図１〜図４参照）。
【００１５】
本実施形態にて対象となる外部床１００は、例えば建物のフラットな屋根部や屋上などに形成された屋外の床部分をいう。この外部床１００は、非防水性素材のパネル１２０からなる床スラブ１１０を有している。外部床１００に適した非防水性素材の好適例としてはＡＬＣ（Autoclaved Light weight Concrete、軽量気泡コンクリート）などがある。
【００１６】
外部床１００の外周部には、当該外部床１００を囲うようにパラペット２００などのような壁立ち上がり部が設けられている（図１参照）。パラペット２００には、当該建物等の中心側（外部床１００のある側）を向く面である内壁面２０２と、これとは逆に外側を向く面である外壁面２０４とが形成されている。本実施形態のパラペット２００の材質はＡＬＣであるが特にこれには限定されない。また、本実施形態のパラペット２００は上端面２０６に笠木を備えていないが、当該パラペット２００の厚み（内壁面２０２と外壁面２０４との間隔）より幅広に形成される等した笠木が形成される場合もある。
【００１７】
また、床スラブ１１０を構成するパネル１２０のうち最外周のもの（パラペット２００に近接したもの）は、Ｈ形鋼からなる外周屋根梁３００に支持されている。これら床スラブ１１０を構成するパネル１２０のうち最外周のものとパラペット２００との間には、後工程において目地モルタルが充填され外周目地部１５０となるスペースが形成されている（図１参照）。
【００１８】
パラペット２００の内壁面２０２側には、本防水シート貼着時の下地となる金物４００が取り付けられている（図１参照）。この金物４００は、上水平部４００ａ、鉛直部４００ｂ、下水平部４００ｃからなるクランク形状であり、上水平部４００ａがパラペット２００の上端面２０６に、鉛直部４００ｂがパラペット２００の内壁面２０２に、下水平部４００ｃが外周屋根梁３００にそれぞれ当てがわれるように配置され、固着されている。このように固着された状態で、金物４００の鉛直部４００ｂが立ち上がり面となり、金物４００の上水平部４００ａが上端面となる（図１、図２参照）。
【００１９】
仮防水構造１は、このように周囲にパラペット２００が形成された外部床１００における仮防水のために用いられるもので、仮防水シート２、貼着部材３を含む。仮防水構造１は、さらに雨水侵入抑止部材としての仮水切り４を含んでいてもよい。
【００２０】
仮防水シート２は、床スラブ１１０の表面からパラペット２００の上端面２０６にかけてプール状に敷設されるシートである。仮防水シート２は、一枚で構成され重ね合わせのないものであることが好ましいが、防水性が保持されていればこの限りではない。
【００２１】
貼着部材３は、金物４００に貼着可能な磁石を含む部材である。この貼着部材３は、金物の鉛直部（立ち上がり面）４００ｂに対して、仮防水シート２に張力を与えつつ、当該仮防水シート２が外周目地部１５０で陥没しないように緩みの無い状態で貼着している（図１参照）。さらに、別の貼着部材３が、仮防水シート２の端縁部２ａあるいはその近傍を押さえ付けるように、パラペット２００の上端面２０６に貼着している。
【００２２】
このような貼着部材３の具体的な構成は限定されないが、本実施形態では、柔軟性を有する幅狭かつ長尺のプレート３２と、当該プレート３２の一方の面において長さ方向に所定の間隔で取り付けられた磁石３４と、からなるマグネットプレートを採用している（図３参照）。なお、貼着部材３として、収容袋に収容されたマグネットプレートを採用してもよい。
【００２３】
仮水切り４は、パラペット２００の上端面２０６における雨水侵入を防止するための部材として用いられる（図１、図２参照）。本実施形態の仮水切り４は、水平片４ａと垂下片４ｂとからなる、断面Ｌ字状の部材ないしはアングル材で形成されている（図４参照）。仮水切り４は、仮防水シート２の端縁部２ａと水平片４ａとが重ね合わせられた状態で、垂下片４ｂが建物外側となり金物４００の上水平部４００ａとパラペット２００の上端との間の隙間を覆うように掛止される。さらに、この状態で、仮水切り４は、仮防水シート２の端縁部２ａあるいはその近傍を押さえ付ける別の貼着部材３と同一のものを用いて（仮防水シート２の端縁部２ａあるいはその近傍を押さえ付ける別の貼着部材３を兼用して）、金物４００の上水平部（上端面）４００ａに押さえ付けられるようにして配置されている（図１、図２参照）。
【００２４】
以上のように、本実施形態にかかる仮防水構造１は、床スラブ１１０の表面からパラペット２００の上端面２０６にかけて仮防水シート２を簡易に敷設できるようにした構成であり、仮樋の設置をしなくても敷設することが可能なものである。このため、手間やコストを要する仮樋の設置とは無縁である。また、本実施形態の仮防水構造１は、外周目地部１５０の有無にかかわらず敷設可能であり、そのぶん汎用性が高い。
【００２５】
なお、上述の実施形態は本発明の好適な実施の一例ではあるがこれに限定されるものではなく本発明の要旨を逸脱しない範囲において種々変形実施可能である。
【産業上の利用可能性】
【００２６】
本発明は、外周部にパラペットを備えた外部床上に略水平な親綱を張設する為の親綱張設装置に適用して好適である。
【符号の説明】
【００２７】
１…仮防水構造
２…仮防水シート
３…貼着部材
４…仮水切り
４ａ…水平片
４ｂ…垂下片
３４…磁石
１００…外部床
１１０…床スラブ
１２０…パネル（非防水性素材のパネル）
１５０…外周目地部
２００…パラペット（壁立ち上がり部）
２０６…上端面
４００…金物
４００ａ…上水平部（上端面）
４００ｂ…鉛直部（立ち上がり面）
【図１】
0006405137.tif 000002
【図２】
0006405137.tif 000003
【図３】
0006405137.tif 000004
【図４】
0006405137.tif 000005